(57)【要約】【課題】パーソナルコンピュータの有するきわだった特徴であり、カメラが内蔵すると大型化して製品のバランスがくずれてしまう部分を、積極的にパーソナルコンピュータに機能させ、両者一体となって完成度の高い作画や、確実な記録を可能とするカメラシステムを提供することである。【解決手段】被写体を撮像する撮像素子３１を有するカメラ１０は、上記撮像素子３０で得られた撮像結果を、通信ケーブル３９を介してパーソナルコンピュータ４０に送信可能となっている。そして、上記パーソナルコンピュータ４０のディスプレイ上に表示される撮像画像は、指定部３７によって指定可能となっている。【選択図】    図１
2005027035.tif 000002
【特許請求の範囲】
【請求項１】
被写体を撮像する撮像手段を有し、上記撮像手段の撮像結果を外部表示装置に送信可能なカメラシステムに於いて、
上記外部表示装置上に表示する撮像画像部分を指定する指定手段とを具備することを特徴とするカメラシステム。
【請求項２】
上記撮像結果をモニタするための組み込み形モニタ手段を更に具備し、
上記指定手段は、上記モニタ手段上で上記撮像画像部分を指定することを特徴とする請求項１に記載のカメラシステム。
【請求項３】
上記指定手段は、上記撮像結果の像振幅が所定範囲を越える部分を指定することを特徴とする請求項１に記載のカメラシステム。
【請求項４】
上記指定手段は、上記撮像結果の像振幅が所定範囲以下の変化を示す部分を指定することを特徴とする請求項１に記載のカメラシステム。
【請求項５】
被写体を撮像する撮像手段を有し、上記撮像手段の撮像結果を、表示機能を有する外部装置に送信可能なカメラシステムに於いて、
上記外部装置に於ける表示形態をカメラ側から指定可能にしたことを特徴とするカメラシステム。
【請求項６】
被写体を撮像する撮像手段を有するカメラと、上記撮像手段の撮像結果を公衆回線を通じて所定の通信業者と通信可能な外部装置に転送する転送手段とを有するカメラシステムに於いて、
上記外部装置の通信動作の制御をカメラ側から指定する指定手段を具備することを特徴とするカメラシステム。
【請求項７】
被写体を撮像する撮像手段と、上記撮像手段の撮像結果を外部表示装置に送信可能なカメラシステムに於いて、
上記被写体像の像振幅が時間的に変化することを検出する検出手段と、
上記検出手段で変化検出があった場合に、複数回露出した結果を、上記外部表示装置上に表示する表示制御手段と、
を具備することを特徴とするカメラシステム。
【請求項８】
被写体を撮像する撮像手段を有し、上記撮像手段の撮像結果を外部表示装置に送信可能なカメラシステムに於いて、
上記被写体像の像データの振幅が所定範囲を越える部分を検出する検出手段と、
上記検出手段で上記像振幅の所定範囲を越える部分が検出された場合に、複数回露出した結果を、上記外部表示装置上に表示させる表示制御手段と、
を具備することを特徴とするカメラシステム。
【請求項９】
被写体を撮像する撮像手段と、上記撮像手段の撮像結果を送信可能な送信手段とを有するカメラと、上記カメラから送信された上記撮像結果を表示する外部表示装置と、を備えたカメラシステムに於いて、
上記カメラは、上記外部表示装置に表示する撮像画像の特定部分を指定する指定手段を具備することを特徴とするカメラシステム。
【請求項１０】
上記カメラは上記撮像結果をモニタするための表示手段を更に具備し、
上記指定手段は、上記表示手段に表示された上記撮像画像の特定部分を指定することを特徴とする請求項９に記載のカメラシステム。
【請求項１１】
上記指定手段は、上記撮像結果の像振幅が所定範囲を越える部分を指定することを特徴とする請求項９に記載のカメラシステム。
【請求項１２】
上記指定手段は、上記撮像結果の像振幅が所定範囲以下の変化を示す部分を指定することを特徴とする請求項９に記載のカメラシステム。
【請求項１３】
被写体を撮像する撮像手段と、上記撮像手段の撮像結果を送信可能な送信手段とを有するカメラと、上記カメラから送信された上記撮像結果を表示する外部表示装置と、を備えたカメラシステムに於いて、
上記カメラは、上記外部表示装置に表示される上記撮像結果の表示形態を指定可能な指定手段を具備することを特徴とするカメラシステム。
【請求項１４】
被写体を撮像する撮像手段と、上記撮像手段の撮像結果を送信可能な送信手段とを有するカメラと、上記カメラから送信された上記撮像結果を表示する外部表示装置と、を備えたカメラシステムに於いて、
上記被写体像の像振幅が時間的に変化することを検出する検出手段と、
上記検出手段で上記像振幅の変化が検出された場合に、複数回露出した結果を、上記外部表示装置上に表示する表示制御手段と、
を具備することを特徴とするカメラシステム。
【請求項１５】
被写体を撮像する撮像手段と、上記撮像手段の撮像結果を送信可能な送信手段と、を有するカメラと、上記カメラから送信された上記撮像結果を表示する外部表示装置と、を備えたカメラシステムに於いて、
上記カメラは、上記被写体像の像データの振幅が所定範囲を越える部分を検出する検出手段と、上記検出手段で上記像振幅の所定範囲を越える部分が検出された場合に、複数回露出した結果の画像を上記外部表示装置に表示させる表示制御手段と、を具備することを特徴とするカメラシステム。
【発明の詳細な説明】
【０００１】
【発明の属する技術分野】
この発明はデジタルカメラに関するものであり、より詳しくは、カメラとパーソナルコンピュータ接続時の撮影システムの改良に関する。
【０００２】
【従来の技術】
デジタル画像は、写真フィルムを使用する撮影とは異なり、画像を電気信号として扱えるため、通信や拡大、縮小を含む画像処理等を容易に行埋込とができるというメリットがある。そのため、デジタルカメラとパーソナルコンピュータとを接続して、データを転送しながら使用するケースも多い。
【０００３】
例えば、パーソナルコンピュータとカメラを接続して、より使いやすいシステムを提案した例が知られている（例えば、特許文献１、特許文献２参照）。
【０００４】
【特許文献１】
特開２００１−２１１３５６号公報
【０００５】
【特許文献２】
特開２００１−１００８６８号公報
上記特許文献１は、パーソナルコンピュータとカメラの間のデータ通信中の警告表示について記載されている。また、上記特許文献２は、電池消耗の問題に着目して、パーソナルコンピュータからカメラに電源を供給している技術が記載されている。
【０００６】
【発明が解決しようとする課題】
しかしながら、上述した特許文献１及び特許文献２は、撮影時に於いてモニタや通信手段としてのパーソナルコンピュータの働きを十分考慮したものではなかった。つまり、近年、パーソナルコンピュータは、大容量のハードディスクのみならず、高精彩の大画面を有し、モデムを内蔵する等、よりデジタルカメラとの整合性が高まっている。
【０００７】
つまり、パーソナルコンピュータをカメラの一部として利用することにより、撮影記録や作画をより確実にし、作品の完成度を向上させる工夫をする余地が広がっている。
【０００８】
この発明は以上の点に鑑みてなされたものであり、カメラに内蔵させると大型化して製品のバランスがくずれてしまう部分を、パーソナルコンピュータに積極的に機能させ、両者一体となって完成度の高い作画や、確実な記録を可能とするカメラシステムを提供することを目的とする。
【０００９】
【課題を解決するための手段】
すなわち請求項１に記載の発明は、被写体を撮像する撮像手段を有し、上記撮像手段の撮像結果を外部表示装置に送信可能なカメラシステムに於いて、上記外部表示装置上に表示する撮像画像部分を指定する指定手段とを具備することを特徴とする。
【００１０】
このような構成とすることにより、カメラシステムの外部表示装置を利用して指定された撮像画像部分を表示制御可能となるので、完成度と確実性の高い作画を可能にすることができる。
【００１１】
請求項２に記載の発明は、請求項１に記載の発明に於いて、上記撮像結果をモニタするための組み込み形モニタ手段を更に具備し、上記指定手段は、上記モニタ手段上で上記撮像画像部分を指定することを特徴とする。
【００１２】
このような構成とすることにより、モニタ手段上で撮像画像部分を指定することができるので、外部表示装置から離れていても完成度と確実性の高い作画を可能にすることができる。
【００１３】
請求項３に記載の発明は、請求項１に記載の発明に於いて、上記指定手段は、上記撮像結果の像振幅が所定範囲を越える部分を指定することを特徴とする。
【００１４】
このような構成とすることにより、露出を変化させて画像を確認しながら撮影することが可能となる。
【００１５】
請求項４に記載の発明は、請求項１に記載の発明に於いて、上記指定手段は、上記撮像結果の像振幅が所定範囲以下の変化を示す部分を指定することを特徴とする。
【００１６】
このような構成とすることにより、γ変換の特性を変化させて画像を確認しながら撮影することが可能となる。
【００１７】
請求項５に記載の発明は、被写体を撮像する撮像手段を有し、上記撮像手段の撮像結果を、表示機能を有する外部装置に送信可能なカメラシステムに於いて、上記外部装置に於ける表示形態をカメラ側から指定可能にしたことを特徴とする。
【００１８】
このような構成とすることにより、外部装置に表示される撮像結果を見て確認しながら撮像することができるので、撮影者はカメラを離さずに撮影に専念しながら、外部装置を操作することが可能となる。
【００１９】
請求項６に記載の発明は、被写体を撮像する撮像手段を有するカメラと、上記撮像手段の撮像結果を公衆回線を通じて所定の通信業者と通信可能な外部装置に転送する転送手段とを有するカメラシステムに於いて、上記外部装置の通信動作の制御をカメラ側から指定する指定手段を具備することを特徴とする。
【００２０】
このような構成とすることにより、カメラから離れた外部装置に対して該カメラから動作制御を行うことができる。
【００２１】
請求項７に記載の発明は、被写体を撮像する撮像手段と、上記撮像手段の撮像結果を外部表示装置に送信可能なカメラシステムに於いて、上記被写体像の像振幅が時間的に変化することを検出する検出手段と、上記検出手段で変化検出があった場合に、複数回露出した結果を、上記外部表示装置上に表示する表示制御手段と、を具備することを特徴とする。
【００２２】
このような構成とすることにより、ピント位置が少しずつ変化した場合に複数の連続した撮像画像を同時に表示して確認することができる。
【００２３】
請求項８に記載の発明は、被写体を撮像する撮像手段を有し、上記撮像手段の撮像結果を外部表示装置に送信可能なカメラシステムに於いて、上記被写体像の像データの振幅が所定範囲を越える部分を検出する検出手段と、上記検出手段で上記像振幅の所定範囲を越える部分が検出された場合に、複数回露出した結果を、上記外部表示装置上に表示させる表示制御手段と、を具備することを特徴とする。
【００２４】
このような構成とすることにより、露出が異なる複数の撮像画像を同時に表示して確認することができる。
【００２５】
請求項９に記載の発明は、被写体を撮像する撮像手段と、上記撮像手段の撮像結果を送信可能な送信手段とを有するカメラと、上記カメラから送信された上記撮像結果を表示する外部表示装置と、を備えたカメラシステムに於いて、上記カメラは、上記外部表示装置に表示する撮像画像の特定部分を指定する指定手段を具備することを特徴とする。
【００２６】
このような構成とすることにより、カメラシステムの外部表示装置を利用して指定された撮像画像部分を表示制御可能となるので、完成度と確実性の高い作画を可能にすることができる。
【００２７】
請求項１０に記載の発明は、請求項９に記載の発明に於いて、上記カメラは上記撮像結果をモニタするための表示手段を更に具備し、上記指定手段は、上記表示手段に表示された上記撮像画像の特定部分を指定することを特徴とする。
【００２８】
このような構成とすることにより、表示手段上で撮像画像部分を指定することができるので、外部表示装置から離れていても完成度と確実性の高い作画を可能にすることができる。
【００２９】
請求項１１に記載の発明は、請求項９に記載の発明に於いて、上記指定手段は、上記撮像結果の像振幅が所定範囲を越える部分を指定することを特徴とする。
【００３０】
このような構成とすることにより、露出を変化させて画像を確認しながら撮影することが可能となる。
【００３１】
請求項１２に記載の発明は、請求項９に記載の発明に於いて、上記指定手段は、上記撮像結果の像振幅が所定範囲以下の変化を示す部分を指定することを特徴とする。
【００３２】
このような構成とすることにより、γ変換の特性を変化させて画像を確認しながら撮影することが可能となる。
【００３３】
請求項１３に記載の発明は、被写体を撮像する撮像手段と、上記撮像手段の撮像結果を送信可能な送信手段とを有するカメラと、上記カメラから送信された上記撮像結果を表示する外部表示装置と、を備えたカメラシステムに於いて、上記カメラは、上記外部表示装置に表示される上記撮像結果の表示形態を指定可能な指定手段を具備することを特徴とする。
【００３４】
このような構成とすることにより、外部装置に表示される撮像結果を見て確認しながら撮像することができるので、撮影者はカメラを離さずに撮影に専念しながら、外部装置を操作することが可能となる。
【００３５】
請求項１４に記載の発明は、被写体を撮像する撮像手段と、上記撮像手段の撮像結果を送信可能な送信手段とを有するカメラと、上記カメラから送信された上記撮像結果を表示する外部表示装置と、を備えたカメラシステムに於いて、上記被写体像の像振幅が時間的に変化することを検出する検出手段と、上記検出手段で上記像振幅の変化が検出された場合に、複数回露出した結果を、上記外部表示装置上に表示する表示制御手段と、を具備することを特徴とする。
【００３６】
このような構成とすることにより、ピント位置が少しずつ変化した場合に複数の連続した撮像画像を同時に表示して確認することができる。
【００３７】
請求項１５に記載の発明は、被写体を撮像する撮像手段と、上記撮像手段の撮像結果を送信可能な送信手段と、を有するカメラと、上記カメラから送信された上記撮像結果を表示する外部表示装置と、を備えたカメラシステムに於いて、上記カメラは、上記被写体像の像データの振幅が所定範囲を越える部分を検出する検出手段と、上記検出手段で上記像振幅の所定範囲を越える部分が検出された場合に、複数回露出した結果の画像を上記外部表示装置に表示させる表示制御手段と、を具備することを特徴とする。
【００３８】
このような構成とすることにより、露出が異なる複数の撮像画像を同時に表示して確認することができる。
【００３９】
【発明の実施の形態】
（第１の実施の形態）
以下、図面を参照してこの発明の第１の実施の形態を説明する。
【００４０】
図１は、この発明の第１の実施の形態となるカメラシステムの電気系の構成を示すブロック図である。
【００４１】
図１に於いて、カメラ１０内の撮影レンズ１１を介して入射された被写体像は、図示矢印方向に回動可能なメインミラー１２によって上方に導かれ、フォーカシングスクリーン１３上に投影される。この像は、ペンタプリズム１４及び接眼レンズ１５を介して、ユーザ（撮影者）の眼１６によって観察できるようになっている。
【００４２】
上記フォーカシングスクリーン１３は、光軸上でメインミラー１２の後方に配置された撮像素子２０と等価の位置に配置されている。したがって、撮影者は撮像素子２０に入射されて撮影されるのと等価の像を観察することができる。
【００４３】
撮像手段である撮像素子２０は、撮影時にメインミラー１２が撮影光路から退避する位置に移動されたときに被写体像が結像される部分である。
【００４４】
撮像素子２０に入射された被写体像は、ここで各画素で各々の入射量に依存した電荷が発生され、その量がＡ／Ｄ変換部２１でデジタル信号に変換されて、画像処理回路２２に入力される。画像処理回路２２は、カラーバランスの調整やエッジの調整、或いは画像圧縮が行われる。この画像圧縮回路２２で画像記録しやすいように処理された画像は、カメラ１０内のメモリ２３、或いは通信回路２４を介して外部のメモリに記録される。また、画像処理回路２２に入力された画像データは、カメラ内蔵の液晶モニタ３０に表示可能である。
【００４５】
尚、近年、圧縮によって画像が劣化するのを嫌って、圧縮していないデータを保存するカメラマンが増加する傾向にあり、カメラ１０内のメモリ２３では容量不十分で、外部のメモリに記録させるケースが多い。これについては後述する。
【００４６】
上記メインミラー１２の一部はハーフミラーで構成されており、このハーフミラーを透過した被写体像は、メインミラー１２に取り付けられたサブミラー３１によって、図示下方に折り返され、オートフォーカス（ＡＦ）用光学系３２に導かれる。
【００４７】
このＡＦ用光学系３２では、撮影レンズ１１の異なる光路から入射された被写体像が分離されて一対のＡＦセンサ３３に導かれる。この一対の信号が利用されて、位相差検出部３５で像の位相差が求められる。この位相差の結果によって、撮影レンズ１１のピント合わせを、アクチュエータ等で構成されるレンズドライバ（ＬＤ）３６を介して行えば、いわゆるオートフォーカス（ＡＦ）システムが構成される。
【００４８】
表示制御手段であるＣＰＵ２５は、このカメラ１０全体の制御動作を司るもので、Ａ／Ｄ変換部２１と、画像処理回路２２と、通信回路２４と、合成回路２９と、液晶モニタ３０と、光量検出部３４と、位相差検出部（検出手段）３５と、レンズドライバ３６及び指定部３７とが接続されている。
【００４９】
このＣＰＵ２５は、図示されないレリーズ釦や操作スイッチ２５ａ等を撮影者が操作することによって、カメラ動作の指定を行う指定部３７に基づいてカメラのシーケンスを制御し、所定のタイミングで、上述したＡＦシステムを作動せしめ、露出制御をシーケンシャルに行う。つまり、ＡＦセンサ３３に入射された光の量が光量検出部３４で判定されることにより、被写体の明るさが判定され、撮像素子２０に像が入射する時間が決定される。
【００５０】
尚、露出時には、メインミラー１２とサブミラー３１は、光路から退避する。
【００５１】
上述した露出制御とは、Ａ／Ｄ変換部２１によってカバーできる範囲に光電変換出力を収めるための制御である。この制御が正しく制御されていないと、階調等が平坦になってしまったり、最悪の場合、像が白くつぶれたり、黒くつぶれたりしてしまう。このように、露出制御が正しく行われたかどうかは、例えば被写体の肌の色が適切なグラデーションで変位しているかどうかで確認することができる。しかしながら、カメラ１０に内蔵の液晶モニタ（モニタ手段）３０では、ここまで正確なチェックはすることができない。こうしたシビアなチェックをする上でも、本発明は有効となる。
【００５２】
ここで、カメラ１０の外部のメモリについて説明する。
【００５３】
カメラ１０と外部表示装置（外部装置）としてのパーソナルコンピュータ４０とが、通信ケーブル３９を介して接続される。こうして、カメラ１０からパーソナルコンピュータ４０のハードディスク等のメモリ４１に記録されたり、内蔵モデム４０ａを介してネットワーク網（公衆回線）４２のウェブを経由し、図示されない他のパーソナルコンピュータのメモリに記録する試みも増えている。
【００５４】
図２（ａ）は、撮影時のカメラ１０とパーソナルコンピュータ４０との関係を示した図である。
【００５５】
ユーザ１は、カメラ１０のファインダ接眼部１５を介して、被写体４５を注視し、シャッタタイミングを狙っている。カメラ１０の背面には、モニタ手段であるカメラ内蔵の液晶モニタ３０と、指定手段である指定部３７が配置されている。
【００５６】
一般に、ユーザは、この液晶モニタ３０に写った画像を見て正しく撮影できているかどうかを確認する。ところが、図２（ｂ）に示されるように、植物の生長記録のような写真の場合、カメラ１０に搭載されている小さなモニタ上では、十分に確認することは困難である。
【００５７】
そこで、何れはパーソナルコンピュータ４０内のハードディスク内に画像を記録するような状況では、予め撮影時にパーソナルコンピュータ４０を用意しておき、図２（ａ）に示されるように、カメラ１０とパーソナルコンピュータ４０とを通信させ、パーソナルコンピュータ４０の大きなディスプレイ４３を利用して、より詳しく撮影画像を確認した方が効率的である。
【００５８】
また、このような撮影スタイルであれば、パーソナルコンピュータ４０の大きなディスプレイ４３で、図２（ｃ）に示されるように、複数の人によって画像チェックすることも可能である。
【００５９】
これによって、次の撮影をどうするかを決定したり、撮影者の意図をモデルに伝えたり、その画像を使う人の意見を撮影者に伝えたりすることが容易になり、撮影の効率アップを図ることができる。
【００６０】
ここで、カメラ１０とパーソナルコンピュータ４０の関係を明瞭化するべく、通信ケーブル３９でこれらが接続されているが、当然、無線通信の方がカメラは扱い易いので、本発明の通信手段は無線を含み、図２の構成に限定されるものではない。
【００６１】
上記ＣＰＵ２５は、指定部３７の指示に基づいて、液晶モニタ３０の画面上に、図３（ｂ）に示されるように、チェック枠３０ａを合成表示するような制御も行う。このチェック枠３０ａは、図３（ａ）に示されるような画像に於いて、被写体４５の目の部分に正しくピントが合っているか否かをチェックしたり、背景の木とのボケのバランスと、上述した肌の階調を調べたりするのに拡大表示する部分を指定するためのものである。
【００６２】
この拡大表示は、カメラ１０の液晶モニタ３０を用いるよりも、図３（ｃ）に示されるように、パーソナルコンピュータ４０のディスプレイ４３を利用した方が有効に確認できることは上述したとおりである。これによって、主被写体４５のピントや色あいや階調の他、背景４６とのバランス等をチェックすることができる。
【００６３】
図３（ｂ）に示されるように、この拡大する部分を示すためのチェック枠３０ａは、例えば、図４に示されるような、２つのスイッチから構成される指定部（図１の３７）によって画面上を移動させたり、大きくしたり小さくしたりすることができる。
【００６４】
図４（ａ）は、カメラ１０の背面に設けられている指定部３７を構成するスイッチの例を示した平面図である。座標釦３７ａは、例えば上下左右に配された円形状の部材の下に圧力によって抵抗を変化させるシートを設けており、感圧スイッチを構成している。この座標釦３７ａは、ディスプレイ内のチェック枠３０ａを移動させるためのものであり、この座標釦３７ａの下方に位置される枠釦３７ｂはチェック枠３０ａの表示、消去や大きさの変更を行うためのものである。
【００６５】
この枠釦３７ｂにも、同様の工夫がなされている。つまり、図４（ｂ）に示されるような等価回路にて、押下される力によって抵抗が変化し、ＣＰＵ内蔵のＡ／Ｄ変換器２５ａによって、その分圧電圧がモニタできるようになっている。座標釦３７ａの抵抗は変化せず、枠釦３７ｂの抵抗が小さくなるので、押下されると電圧が下がり、押下されない時には電圧が上がる。
【００６６】
これによって、ＣＰＵ２５は、座標釦３７ａのどの部分が押下されているかを検出し、その結果に応じてディスプレイ内のチェック枠３０ａを、図５（ａ）に示されるように移動させる制御を行う。また、枠釦３７ｂも座標釦３７ａと同様に押下されれば、Ａ／Ｄ変換器２５ａに入力される電圧が下がることを応用して、押下されたか否かを判定する。これにより、図５（ｂ）に示されるように、ＣＰＵ２５がチェック枠３０ａの大きさを変化させる。
【００６７】
次に、図６のフローチャートを参照して、本実施の形態に於けるカメラ側の撮影シーケンス例について説明する。
【００６８】
尚、図６のフローチャートの制御動作は、カメラ１０内のＣＰＵ２５が司るものである。
【００６９】
先ず、ステップＳ１にて上述したＡＦシステムにてピント制御が行われ、続くステップＳ２にて露出演算が行われる。これらは、何れもＡＦセンサの出力に基づいて行われることは、上述したとおりである。
【００７０】
この後、ステップＳ３にて露出演算結果により所定時間撮像が行われる。このとき、メインミラー１２及びサブミラー３１が光路より退避される。次いで、ステップＳ４にて、カメラ１０の液晶モニタ３０上に、撮像結果がモニタ可能なように表示制御される。
【００７１】
そして、ステップＳ５に於いて、ユーザの操作に従ってＳ５にてチェック枠３０ａが表示されて、図５（ａ）、（ｂ）に示されるように、その場所や大きさが切り換えられる。
【００７２】
ステップＳ６では、撮影された画像が通信される。ここでは、例えば、ＵＳＢやＩＥＥＥ１３９４のようなケーブル方式でもブルートゥースのような無線通信でもよい。そして、ステップＳ７では、上述したチェック枠３０ａの部分が示す画像部分を示す座標情報の通信が行われる。
【００７３】
また、ステップＳ８では、その画像がパーソナルコンピュータ４０経由でネットワーク網４２のウェブを介し、他のパーソナルコンピュータに転送するか否かを指示する通信が行われる。これは、例えば、撮影された画像をすぐに遠く離れている人にチェックしてもらいたい場合等に使用されるもので、パーソナルコンピュータを操作しなくとも、カメラの操作によって、パーソナルコンピュータを制御して実行させるものである。
【００７４】
ステップＳ９では、同様に、パーソナルコンピュータに対して、カメラ側から指示することがあれば、それを制御通信することが行われる。この働きにより、ユーザは、図２（ａ）に示されるように、カメラ１０から手を離さずに、撮影に専念しながら、パーソナルコンピュータ４０を制御することができる。
【００７５】
図７は、こうしたカメラ側からの指示に従ってパーソナルコンピュータが制御する動作を説明するフローチャートである。
【００７６】
先ず、ステップＳ１１にて、カメラ１０側から送られて来た画像が入力されたか否かが判定される。ここで、画像が入力されたならば、続くステップＳ１２にて、枠部指定のデータが入力されたか否かが判定される。
【００７７】
この判定の結果、指定なしならばステップＳ１３へ移行して、全画像表示が行われる。一方、指定データが入力されたならば、ステップＳ１４へ移行してその部分が拡大表示される。
【００７８】
ステップＳ１５では、他のパーソナルコンピュータへデータ転送する指示の有無が判定される。ここで、データ転送指示がなければステップＳ１７へ移行する。一方、データ転送指示があれば、ステップＳ１６へ移行して、所定のアドレスに画像データが提供される。アドレスの指定は、予め決まっている場合等はパーソナルコンピュータ上で設定可能としておけばよい。
【００７９】
更に、ステップＳ１７では、その他、画像の表示制御等に関する切換情報に従って画像の表示切換が行われる。
【００８０】
これは、例えば、図８（ａ）に示されるように、カラー画像を白黒表示して白黒写真としての陰影を見たり、図８（ｂ）に示されるように、縦構図の時の効果をパーソナルコンピュータのディスプレイ上で確認できるようにしたものである。
【００８１】
図９は、このようなＰＣ（パーソナルコンピュータ）表示、ＰＣ（パーソナルコンピュータ）通信制御機能付きカメラの釦操作時の動作を説明するフローチャートである。
【００８２】
先ず、ステップＳ２１にて、図４に示されるような圧力検知型スイッチが、どのように操作されたかが、Ａ／Ｄ変換によって検出される。そして、ステップＳ２２に於いて、枠釦の操作状態が判定される。枠釦３７ｂが所定時間押されていれば、ステップＳ２３へ移行して、枠表示が開始される。
【００８３】
そして、ステップＳ２４にて再びＡ／Ｄ変換が行われる。次いで、ステップＳ２５にて、座標釦３７ａの操作状態が判定される。ここで、座標釦３７ａが操作されていると判定されると、そのＡ／Ｄ結果に従って、ステップＳ２６に移行して枠表示の座標が切り換えられる。この様子は、図５（ａ）に示されるように、液晶モニタ３０上で確認することができるので、ユーザ１はそれを見ながらスイッチ操作する。その後、上記ステップＳ２４へ移行する。
【００８４】
また、上記ステップＳ２５にて座標釦３７ａが操作されていない場合は、枠表示をやめることもできる。すなわち、ステップＳ２７に於いて枠釦３７ｂの操作状態が判定される。ここで、枠釦３７ｂが操作されなければ上記ステップＳ２４へ移行し、操作されたならばステップＳ２８へ移行する。
【００８５】
ステップＳ２８では、枠釦３７ｂが押されてから所定時間が経過したか否かが判定される。ここで、所定時間が経過していれば、ステップＳ２９へ移行して、枠表示が終了される。その後、上記ステップＳ２１へ移行する。
【００８６】
また、上記ステップＳ２８で所定時間に達していなければ、続くステップＳ３０にて枠が最大であるか否かが判定される。その結果、最大であればステップＳ３１に移行して枠の大きさが最小に戻される。一方、まだ最大でない場合は、ステップＳ３２へ移行して枠が拡大される。上記ステップＳ３１、Ｓ３２の後は、上記ステップＳ２４へ移行する。
【００８７】
また、上記ステップＳ２２に於いて、枠釦３７ｂが押されていない場合は、ステップＳ３３に於いて、図示されないモニタの縦横切り換えの状態が判定される。ここで、切り換えがある場合は、ステップＳ３４に移行して縦横の構図の指示がなされる。
【００８８】
次に、ステップＳ３５では、白黒表示切り換えが判定される。ここで、表示切り換えがある場合は、ステップＳ３６に移行して白黒表示の指示がなされる。
【００８９】
そして、ステップＳ３７では、画像転送の指示の有無が判定される。ここで、転送の指示がない場合はステップＳ３９へ移行し、指示がある場合は、ステップＳ３８へ移行して、パーソナルコンピュータ及びネットワーク網４２のウェブ経由で、他のパーソナルコンピュータへの通信の指示が行われる。
【００９０】
更に、ステップＳ３９では、ＰＣ通信の状態が判定される。ここで、ＰＣ通信が実行されない場合は上記ステップＳ２１へ移行する。一方、ＰＣ通信が実行される場合は、ステップＳ４０へ移行して、操作に応じたＰＣ制御信号がパーソナルコンピュータに転送される。
【００９１】
つまり、ステップＳ３３にて縦構図表示が指定されると、図８（ｂ）に示されるように、パーソナルコンピュータの大画面上で縦構図の見ばえの確認が可能となる。また、ステップＳ３５にて白黒表示が指定されていると、図８（ａ）に示されるように、パーソナルコンピュータのディスプレイは白黒表示となって、その階調表現を、撮影者は高品質の大画面で確認することができる。
【００９２】
また、試し撮りの結果をすぐにチェックしてもらいたい場合には、ステップＳ３７、Ｓ３９をＹＥＳ側に分岐して、パーソナルコンピュータ経由で所定のアドレスに画像送信することができる。したがって、例えば、カメラマンの初心者が、遠く離れた所にいる先生に作画をチェックしてもらったりアドバイスをしてもらったりすることができ、より質のよい写真画像を得ることができる。
【００９３】
更に、カメラマンがスポンサーに何か指示される時にも、この画像通信機能によって、具体的な指示が得られ、効率の高い写真撮影が可能となる。
【００９４】
以上説明したように、カメラ側からパーソナルコンピュータを制御して、ユーザはカメラを離さずに撮影に専念しつつ、パーソナルコンピュータの高機能部を操作することが可能となる。
【００９５】
また、パーソナルコンピュータの持つ大画面を利用すれば、高精彩の拡大表示のみならず、多くの画像を一括表示することが可能となる。撮影してすぐに複数の画像を見比べることにより、最適な画像を選び出し、無駄な画像によってメモリを無駄使いするのを防止することができる。
【００９６】
（第２の実施の形態）
次に、この発明の第２の実施の形態について説明する。
【００９７】
この第２の実施の形態は、上述した第１の実施の形態とは制御動作が異なるだけであり、カメラシステムの構成等については、基本的に図１に示されたものと同様であるので、同一の部分には同一の参照番号を付して、その図示及び説明は省略する。
【００９８】
この第２の実施の形態は、カメラの画面よりもパーソナルコンピュータの大きなディスプレイを利用し、複数の画面を表示比較し、場合によっては必要な部分を拡大表示する仕様としてこの発明を応用したものである。
【００９９】
ここで、複数の画面を比較したいシーンとしては次のようなケースが考えられる。つまり、動体撮影時等、最適のタイミングが困難であり、連写して最も良好なタイミングでの画像を選択したい場合、または、露出を決定しにくく、ディスプレイ内のある部分はオーバになったりアンダーになったりする場合で幾つかの露出制御結果を比較して選択したい場合、更に、同様に露出関連であるが、人の肌の陰影やグラデュエーションが正しく再現されているかを幾つかの画像を見て確認する場合である。
【０１００】
これらのシーンをカメラが判定すると、その結果に従って、撮影条件を変化させて連写を行い、その結果をパーソナルコンピュータディスプレイ上に並べて表示し、また状況によっては、画面部分を拡大表示することによって、影像として残しにくいシーンの最適な画像をその場で選択可能とする。
【０１０１】
図１０は、この発明の第２の実施の形態に従った撮影動作を説明するフローチャートである。
【０１０２】
このフローチャートは、図１のＣＰＵ２５がＡＦ用の位相差検出部３５や、ＡＦセンサ３３に入射する光量による輝度分布判定や、Ａ／Ｄ変換部２１の出力等を利用して、シーン判定して、カメラのシーケンスを制御するものである。
【０１０３】
すなわち、ステップＳ５１にて、後のステップで利用する各フラグがＬ（０）にされて、撮影シーケンスが開始される。次いで、ステップＳ５２にて、ピント合わせが行われると、続くステップＳ５３では、ピント変化の検出が行われる。
【０１０４】
そして、ステップＳ５４に於いて、検出されたピントに変化が有りとされた場合は、ステップＳ５５へ移行する。これは、例えば被写体が動体であったり、撮影者がカメラを動かしたりして、手ブレのようなことが起こった場合である。この場合は、複数回撮影が好ましいとされて、ステップＳ５５にてピント変化フラグがＨ（１）とされる。
【０１０５】
次に、ステップＳ５６にて、ＡＦセンサ３３の出力等から被写体の明るさの分布が調べられる。そして、ステップＳ５７にて、その輝度差が大きいと判定された場合は、露出制御の決定が困難であるとして、ステップＳ５８に移行して輝度変化フラグが１とされる。
【０１０６】
ステップＳ５９では、撮像が行われる。ここでは、上述したピント合わせ、露出演算の結果に従って撮影が行われる。この撮影結果、ステップＳ６０にて、得られた像信号の変化状態が検出される。
【０１０７】
ステップＳ６１では飽和したり、ノイズのレベルより低い低レベル信号（低Ｓ／Ｎ）の領域の面積が判定されてＥ１  とされる。次いで、ステップＳ６２にて、像の変化がなだらかすぎて画像が平坦となり味わい深い写真とならなくなってしまうことを防止するために、変化が少ない部分の面積がＥ２  とされて判定される。
【０１０８】
こうして、上記ステップＳ５５、Ｓ５８、Ｓ６１、Ｓ６２で得られたフラグや面積を基に、ステップＳ６３以降、連写及びそのデータ通信表示方法の制御が行われる。
【０１０９】
ステップＳ６３では、ピント変化の有無が検出される。ここで、ピント変化があった（ピント変化フラグが１）場合には、ステップＳ６４に移行して、動体や手ブレであると判定されて連写が行われる。このとき、ピント位置が少しずつ変化して、例えば、図１１（ａ）に示されるように、動いている被写体に対して対応される。
【０１１０】
尚、ステップＳ６４では、上記ステップＳ５３のピント変化検出結果によってピント位置が移動されてもよい。或いは、ステップＳ６４の中で、繰り返しピント判定が行われてピント制御が行われて連写されるようにしてもよい。
【０１１１】
また、上記ステップＳ６３にてピント変化が無いと判定された場合は、ステップＳ６７へ移行して輝度変化の有無が判定される。ここで、輝度変化があった場合（輝度変化フラグが１）はステップＳ６８へ移行し、露出を変えながらの連写が行われる。これによって、図１１（ｂ）に示されるように、露出を変えながらの写真撮影をすることができる。
【０１１２】
この結果を、ディスプレイ４３の左列に縦に並べ（列４３ａ）、その横に問題となる露出領域を拡大して比較して表示できるようにしている。図１１（ｂ）に示される例では、中央部の列４３ｂは通常露出に於ける低Ｓ／Ｎ部、右側の列４３ｃは飽和部を、それぞれ拡大表示するようにしている。
【０１１３】
上記ステップＳ６７にて基準変化が無い場合は、ステップＳ６９へ移行して、飽和信号、低Ｓ／Ｎ信号部の面積Ｅ１  と所定エリアＥ０  とが比較される。その結果、面積Ｅ１  の方が所定エリアＥ０  より大きいと、上述したステップＳ６８へ移行する。
【０１１４】
また、所定エリアＥ０  より面積Ｅ１  の方が大きい場合は、ステップＳ７０に移行する。そして、このステップＳ７０では、広い範囲に渡って像に変化がなく、陰影がないような部分が続く画面であるか否か、上記面積Ｅ２  と所定エリアＥ０  とが比較される。
【０１１５】
その結果、面積Ｅ２  の方が所定エリアＥ０  より大きい場合は、本ルーチンが終了する。一方、所定エリアＥ０  の方が面積Ｅ２  より大きい場合は、ステップＳ７１へ移行する。この場合は、広い範囲に渡って像に変化がなく陰影がないような部分が続く画面であると判定されている。したがって、この場合には、上記ステップＳ６８のように露出を変えてもよいが、ここでは、撮像素子出力のリニアリティを視覚に合わせるための補正であるγ変換の特性が変えられながら連写が行われるようにしている。
【０１１６】
これは、撮像素子出力そのものである、いわゆるＲＡＷデータは変わっていないので、連写ではなく、同じＲＡＷデータが利用されて、画像処理プロセスに於けるγ変換のみが切り換えられて、パーソナルコンピュータに転送されるようにしてもよい。
【０１１７】
この後、ステップＳ６５にて、複数の画像データがパーソナルコンピュータに送られる。そして、ステップＳ６６にて、それらをどのように表示するかの情報がパーソナルコンピュータに送信される。これによって、動体連写の場合は、図１１（ａ）に示されるように表示制御され、露出切り換え連写の場合は、図１１（ｂ）に示されるように表示制御が行われるようにする。連写の場合でなければ、図３に示されたような表示とする。
【０１１８】
図１１（ｂ）に示される例に於いては、上段が通常露出の画面４３１  、中段がアンダー露出の画面４３２  、下段がオーバ露出の画面４３３  を表している。
【０１１９】
実際の表示制御は、パーソナルコンピュータ４０側のプログラムによって行われるが、それを切り換える情報は、カメラ１０側から指定される。
【０１２０】
以上説明したように、第２の実施の形態によれば、パーソナルコンピュータの接続時に、その高精細大画面表示を利用して多くの画面を比較できるようにしたので、より確実な出来映え判定を迅速に行うことができる。
【０１２１】
また、図２に示されるように、常時、パーソナルコンピュータとカメラが接続されていなくとも、撮影後の接続時にこうした表示切り換えを行ってモニタできるようにしてもよい。
【０１２２】
【発明の効果】
以上説明したように、この発明によれば、パーソナルコンピュータが有する高画質大画面モニタ等、カメラが内蔵すると大きさやコストの点で製品のバランスがくずれてしまう機能を、積極的にパーソナルコンピュータ側に持たせ、これをカメラ側から制御可能とすることによって、完成度と確実性の高い作画を可能たらしめるカメラシステムを提供することができる。
【０１２３】
そして、請求項１に記載の発明によれば、カメラシステムの外部表示装置を利用して指定された撮像画像部分を表示制御可能となるので、完成度と確実性の高い作画を可能にすることができる。
【０１２４】
請求項２に記載の発明によれば、モニタ手段上で撮像画像部分を指定することができるので、外部表示装置から離れていても完成度と確実性の高い作画を可能にすることができる。
【０１２５】
請求項３に記載の発明によれば、露出を変化させて画像を確認しながら撮影することが可能となる。
【０１２６】
請求項４に記載の発明によれば、γ変換の特性を変化させて画像を確認しながら撮影することが可能となる。
【０１２７】
請求項５に記載の発明によれば、外部装置に表示される撮像結果を見て確認しながら撮像することができるので、撮影者はカメラを離さずに撮影に専念しながら、外部装置を操作することが可能となる。
【０１２８】
請求項６に記載の発明によれば、カメラから離れた外部装置に対して該カメラから動作制御を行うことができる。
【０１２９】
請求項７に記載の発明によれば、ピント位置が少しずつ変化した場合に複数の連続した撮像画像を同時に表示して確認することができる。
【０１３０】
請求項８に記載の発明によれば、露出が異なる複数の撮像画像を同時に表示して確認することができる。
【０１３１】
請求項９に記載の発明によれば、カメラシステムの外部表示装置を利用して指定された撮像画像部分を表示制御可能となるので、完成度と確実性の高い作画を可能にすることができる。
【０１３２】
請求項１０に記載の発明によれば、表示手段上で撮像画像部分を指定することができるので、外部表示装置から離れていても完成度と確実性の高い作画を可能にすることができる。
【０１３３】
請求項１１に記載の発明によれば、露出を変化させて画像を確認しながら撮影することが可能となる。
【０１３４】
請求項１２に記載の発明によれば、γ変換の特性を変化させて画像を確認しながら撮影することが可能となる。
【０１３５】
請求項１３に記載の発明によれば、外部装置に表示される撮像結果を見て確認しながら撮像することができるので、撮影者はカメラを離さずに撮影に専念しながら、外部装置を操作することが可能となる。
【０１３６】
請求項１４に記載の発明によれば、ピント位置が少しずつ変化した場合に複数の連続した撮像画像を同時に表示して確認することができる。
【０１３７】
請求項１５に記載の発明によれば、露出が異なる複数の撮像画像を同時に表示して確認することができる。
【図面の簡単な説明】
【図１】この発明の第１の実施の形態となるカメラシステムの電気系の構成を示すブロック図である。
【図２】（ａ）は撮影時のカメラ１０とパーソナルコンピュータ４０との関係を示した図、（ｂ）は植物の生長記録のような写真の例を示した図、（ｃ）はパーソナルコンピュータ４０の大きなディスプレイ４３に表示された画像の例を示した図である。
【図３】（ａ）はカメラ１０の液晶モニタ３０に表示される画像の例を示した図、（ｂ）は（ａ）の画像にチェック枠３０ａを合成表示した例を示した図、（ｃ）は（ｂ）のチェック枠３０ａ内の画像をパーソナルコンピュータ４０のディスプレイ４３上に表示した例を示した図である。
【図４】（ａ）は指定部３７を構成する座標釦３７ａと枠釦３７ｂの例を示した図、（ｂ）は（ａ）の座標釦３７ａと枠釦３７ｂの等価回路図である。
【図５】液晶モニタ３０内のチェック枠３０ａを説明する図である。
【図６】この発明の第１の実施の形態に於けるカメラ側の撮影シーケンス例について説明するフローチャートである。
【図７】カメラ側からの指示に従ってパーソナルコンピュータが制御する動作を説明するフローチャートである。
【図８】パーソナルコンピュータ４０のディスプレイ４３上に表示されて例を示すもので、（ａ）はカラー画像を白黒表示した例を示した図、（ｂ）は縦構図の時の例を示した図である。
【図９】パーソナルコンピュータ表示、パーソナルコンピュータ通信制御機能付きカメラの釦操作時の動作を説明するフローチャートである。
【図１０】この発明の第２の実施の形態に従った撮影動作を説明するフローチャートである。
【図１１】（ａ）は動いている被写体を１駒毎にマルチ表示した例を示した図、（ｂ）はある被写体に対して露出領域を拡大した画像及び露出を変化させた状態の画像を同時に表示した例を示した図である。
【符号の説明】
１…ユーザ（撮影者）、１０…カメラ、１１…撮影レンズ、１２…メインミラー、１３…フォーカシングスクリーン、２０…撮像素子、２１…Ａ／Ｄ変換部、２２…画像処理回路、２３…メモリ、２４…通信回路、２５…ＣＰＵ、２９…合成回路、３０…液晶モニタ、３０ａ…チェック枠、３１…サブミラー、３２…オートフォーカス（ＡＦ）用光学系、３３…ＡＦセンサ、３４…光量検出部、３５…位相差検出部、３６…レンズドライバ（ＬＤ）、３７…指定部、３９…通信ケーブル、４０…パーソナルコンピュータ（ＰＣ）、４０ａ…内蔵モデム、４１…メモリ、４２…ネットワーク網、４３…ディスプレイ、４５…被写体。
【図１】
2005027035.tif 000003
【図２】
2005027035.tif 000004
【図３】
2005027035.tif 000005
【図４】
2005027035.tif 000006
【図５】
2005027035.tif 000007
【図６】
2005027035.tif 000008
【図７】
2005027035.tif 000009
【図８】
2005027035.tif 000010
【図９】
2005027035.tif 000011
【図１０】
2005027035.tif 000012
【図１１】
2005027035.tif 000013